(57)【要約】【課題】放熱性を向上させた光源装置及び投影装置を提供すること。【解決手段】光源装置は、光源部６０と、光源部６０からの光を、複数の方向に選択的に切り替える光路切替素子（表示素子５１）と、複数の方向の１つに位置し、透過部材９１を介して光路切替素子と隔離された放熱部９０と、を備える。光路切替素子は、放熱部９０内の空間と隔離されたケース５０内に設けられており、透過部材９１は、光路切替素子から出射された光を透過させる。【選択図】  図５
2018156874.tif 000002
【特許請求の範囲】
【請求項１】
光源部と、
前記光源部からの光を、複数の方向に選択的に切り替える光路切替素子と、
前記複数の方向の１つに位置し、透過部材を介して前記光路切替素子と隔離された放熱部と、
を備えることを特徴とする光源装置。
【請求項２】
前記光路切替素子は、前記放熱部内の空間と隔離されたケース内に設けられており、
前記透過部材は、前記光路切替素子から出射された光を透過させることを特徴とする請求項１に記載する光源装置。
【請求項３】
前記放熱部は、前記ケースと断熱部材を介して接続されることを特徴とする請求項２に記載の光源装置。
【請求項４】
前記放熱部は、ヒートシンクを備えることを特徴とする請求項１乃至請求項３の何れかに記載の光源装置。
【請求項５】
前記放熱部は、周囲が、壁部、前記透過部材及び前記ヒートシンクによって囲まれた密閉空間となっていることを特徴とする請求項４に記載の光源装置。
【請求項６】
前記ヒートシンクの前記密閉空間側には、前記光路切替素子から導光された光を吸収する吸光部が設けられていることを特徴とする請求項５に記載の光源装置。
【請求項７】
前記ヒートシンクの前記密閉空間側には、前記光路切替素子から導光された光を反射する反射部が設けられていることを特徴とする請求項５に記載の光源装置。
【請求項８】
前記壁部の前記密閉空間側には吸光部が設けられており、
前記光路切替素子から導光された光は前記反射部で反射されて、前記壁部に形成された前記吸光部に導光されることを特徴とする請求項７に記載の光源装置。
【請求項９】
前記光路切替素子と前記放熱部との間に集光レンズを備えることを特徴とする請求項１乃至請求項８の何れかに記載の光源装置。
【請求項１０】
前記光路切替素子は、複数のミラーを備えることを特徴とする請求項１乃至請求項９の何れかに記載の光源装置。
【請求項１１】
光源部と、
前記光源部からの光を複数の方向に選択的に切り替え、光像を形成する表示素子と、
前記表示素子からの光像を投影する投影レンズと、
透過部材を介して前記表示素子と隔離され、前記表示素子からの光が、前記投影レンズとは異なる方向へ照射されることで光が入射される放熱部と、
を備えることを特徴とする投影装置。
【請求項１２】
前記表示素子は、前記放熱部内の空間と隔離されたケース内に設けられており、
前記透過部材は、前記表示素子から出射された光を透過させることを特徴とする請求項１１に記載する投影装置。
【請求項１３】
前記放熱部は、前記ケースと断熱部材を介して接続されることを特徴とする請求項１２に記載の投影装置。
【請求項１４】
前記放熱部は、ヒートシンクを備えることを特徴とする請求項１１乃至請求項１３の何れかに記載の投影装置。
【請求項１５】
前記放熱部は、周囲が、壁部、前記透過部材及び前記ヒートシンクによって囲まれた密閉空間となっていることを特徴とする請求項１４に記載の投影装置。
【請求項１６】
前記ヒートシンクの前記密閉空間側には、前記表示素子から導光された光を吸収する吸光部が設けられていることを特徴とする請求項１５に記載の投影装置。
【請求項１７】
前記ヒートシンクの前記密閉空間側には、前記表示素子から導光された光を反射する反射部が設けられていることを特徴とする請求項１５に記載の投影装置。
【請求項１８】
前記壁部の前記密閉空間側には吸光部が設けられており、
前記表示素子から導光された光は前記反射部で反射されて、前記壁部に形成された前記吸光部に導光されることを特徴とする請求項１７に記載の投影装置。
【請求項１９】
前記表示素子と前記放熱部との間に集光レンズを備えることを特徴とする請求項１１乃至請求項１８の何れかに記載の投影装置。
【請求項２０】
前記表示素子は、複数のミラーを備え、
前記投影レンズは、前記表示素子によって変調された前記光像を形成するオン光を投影して、被投影体に画像を投影する、
ことを特徴とする請求項１１乃至請求項１９の何れかに記載の投影装置。
【発明の詳細な説明】
【技術分野】
【０００１】
本発明は、光源装置及び投影装置に関する。
【背景技術】
【０００２】
今日、パーソナルコンピュータの画面やビデオ画像、メモリカード等に記憶されている画像データによる画像等をスクリーンに投影する画像投影装置としてデータプロジェクタが多用されている。このプロジェクタは、光源から出射された光をＤＭＤ（デジタル・マイクロミラー・デバイス）と呼ばれるマイクロミラー表示素子や液晶板に集光させ、スクリーン上にカラー画像を表示させるものである。
【０００３】
例えば、特許文献１のプロジェクタは、マイクロミラーと投影手段とを備える。マイクロミラーは、ＯＮ状態では光源からの光を投影レンズに向けて反射させ、ＯＦＦ状態では光源からの光を投影レンズ以外の方向へ向けて反射させる。投影手段は、複数のマイクロミラーで反射することにより、光源からの光によって生成された投影画像を、投影レンズを介して被投影物に投影する。マイクロミラーがＯＦＦ状態のときに反射された光は、画像形成に利用されない捨て光となる。
【先行技術文献】
【特許文献】
【０００４】
【特許文献１】特開２０１３−１５６３１８号公報
【発明の概要】
【発明が解決しようとする課題】
【０００５】
近年、投影装置に防塵性能が求められている。そのため、粉塵の侵入を防ぐため光学ユニットのケース内に密閉性を高める必要がある。しかしながら、ケースの密閉性を高めると、内部に残存する熱量が増加することがあり、ケース内に配置される蛍光板やＤＭＤ等の使用温度の制約が厳しいモジュールに対しては一層高効率の冷却が求められる。
【０００６】
また、光源装置の表示素子としてＤＭＤを用いた場合では、黒色を投影する際、光源装置から出射されたほぼすべての光がケース内に捨てられる。そのため、ケース内部に対する光の照射によってケースの温度を上昇させることがある。したがって、ケース内に配置される使用温度の制約がある部材に不具合が生じることが想定される。
【０００７】
本発明は、以上の点に鑑み、放熱性を向上させた光源装置及び投影装置を提供することを目的とする。
【課題を解決するための手段】
【０００８】
本発明の光源装置は、光源部と、前記光源部からの光を、複数の方向に選択的に切り替える光路切替素子と、前記複数の方向の１つに位置し、透過部材を介して前記光路切替素子と隔離された放熱部と、を備える。
【０００９】
本発明の投影装置は、光源部と、前記光源部からの光を複数の方向に選択的に切り替え、光像を形成する表示素子と、前記表示素子からの光像を投影する投影レンズと、透過部材を介して前記表示素子と隔離され、前記表示素子からの光が、前記投影レンズとは異なる方向へ照射されることで光が入射される放熱部と、を備える。
【発明の効果】
【００１０】
本発明によれば、放熱性を向上させた光源装置及び投影装置を提供することができる。
【図面の簡単な説明】
【００１１】
【図１】本発明の実施形態１に係る投影装置を示す外観斜視図である。
【図２】本発明の実施形態１に係る投影装置の機能ブロックを示す図である。
【図３】本発明の実施形態１に係る投影装置の内部構造を示す平面模式図である。
【図４】本発明の実施形態１に係る表示素子の動作を示す模式図である。
【図５】本発明の実施形態１に係る投影装置の表示素子、放熱部及び投影レンズの構成を示す模式図である。
【図６】本発明の実施形態１に係る光源装置、ミラーの動作を示すタイミングチャート図であり、（ａ）はミラーが白色光を出射させる例を示し、（ｂ）はミラーが赤色波長帯域光を出射させる例を示す。
【図７】本発明の実施形態２に係る投影装置の表示素子、放熱部及び投影レンズの構成を示す模式図である。
【発明を実施するための形態】
【００１２】
（実施形態１）
以下、本発明の第１実施形態について図を用いて説明する。図１は、投影装置１０の外観斜視図である。なお、以下の説明において、投影装置１０における左右とは投影方向に対しての左右方向を示し、前後とは投影装置１０のスクリーン側方向及び光線束の進行方向に対しての前後方向を示す。
【００１３】
投影装置１０は、図１に示すように、略直方体形状であって、投影装置１０の筐体の前方の側板である正面パネル１２の側方に投影口を覆うレンズカバー１９を有する。さらに、投影装置１０は、図示しないがリモートコントローラからの制御信号を受信するＩｒ受信部を備えている。
【００１４】
また、筐体の上面パネル１１にはキー／インジケータ部３７が設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００１５】
さらに、筐体の背面パネルには、ＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子（群）２０が設けられている。また、背面パネルには、複数の吸気孔が形成されている。なお、図示しない筐体の側板である右側パネル、及び、図１に示した側板である左側パネル１５には、各々複数の排気孔１７が形成されている。また、正面パネル１２及び左側パネル１５の背面パネル近傍の隅部及び背面パネルには、吸気孔１８が形成されている。
【００１６】
次に、投影装置１０の投影装置制御部について図２の機能ブロック図を用いて述べる。投影装置制御部は、制御部３８、入出力インターフェース２２、画像変換部２３、表示エンコーダ２４、表示駆動部２６等から構成される。
【００１７】
この制御部３８は、投影装置１０内の各回路の動作制御を司るものであって、ＣＰＵ、各種セッティング等の動作プログラムを固定的に記憶したＲＯＭ及びワークメモリとして使用されるＲＡＭ等により構成されている。
【００１８】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換されたあと、表示エンコーダ２４に出力される。
【００１９】
また、表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２０】
表示駆動部２６は、表示素子制御手段として機能する。表示駆動部２６は、表示エンコーダ２４から出力された画像信号に対応して適宜フレームレートで空間的光変調素子（ＳＯＭ）である表示素子５１を駆動する。本実施形態では、表示素子５１としてＤＭＤを用いている。表示駆動部２６は、光源部６０から出射された光線束を後述の光源側光学系を介して表示素子５１に照射することにより、表示素子５１の反射光で光像を形成させる。なお、光源装置は、光源部６０と光源側光学系１７０とを含む。光源光は投影レンズ２２０を介して出射され、図示しないスクリーン等の被投影体に画像が投影表示される。なお、この投影レンズ２２０の可動レンズ群２３５は、レンズモータ４５によりズーム調整やフォーカス調整のための駆動が行われる。
【００２１】
また、画像圧縮／伸長部３１は、画像信号の輝度信号及び色差信号をＡＤＣＴ及びハフマン符号化等の処理によりデータ圧縮して着脱自在な記録媒体であるメモリカード３２に順次書き込む記録処理を行う。
【００２２】
さらに、画像圧縮／伸長部３１は、再生モード時にメモリカード３２に記録された画像データを読み出し、一連の動画を構成する個々の画像データを１フレーム単位で伸長する。画像圧縮／伸長部３１は、この画像データを、画像変換部２３を介して表示エンコーダ２４に出力し、メモリカード３２に記憶された画像データに基づいて動画等の表示を可能とする処理を行う。
【００２３】
筐体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６でコード信号に復調されて制御部３８に出力される。
【００２４】
制御部３８にはシステムバス（ＳＢ）を介して音声処理部４７が接続されている。音声処理部４７は、ＰＣＭ音源等の音源回路を備えており、投影モード及び再生モード時には音声データをアナログ化し、スピーカ４８を駆動して拡声放音させる。
【００２５】
また、制御部３８は、光源制御手段としての光源制御回路４１を制御している。光源制御回路４１は、画像生成時に要求される所定波長帯域の光が光源部６０から出射されるように、励起光源や赤色光源装置から所定のタイミングで個別の発光制御を行い、赤色、緑色及び青色の波長帯域光を発光させる。
【００２６】
さらに、制御部３８は、冷却ファン駆動制御回路４３に光源部６０等に設けた複数の温度センサによる温度検出を行わせ、この温度検出の結果から冷却ファンの回転速度を制御させている。また、制御部３８は、冷却ファン駆動制御回路４３にタイマー等により投影装置１０本体の電源オフ後も冷却ファンの回転を持続させる、あるいは、温度センサによる温度検出の結果によっては投影装置１０本体の電源をオフにする等の制御も行う。
【００２７】
つぎに、この投影装置１０の内部構造について図３に基づいて述べる。図３は、投影装置１０の内部構造を示す平面模式図である。投影装置１０は、右側パネル１４の近傍に制御回路基板２４１を備えている。この制御回路基板２４１は、電源回路ブロックや光源制御ブロック等を備えている。また、投影装置１０は、制御回路基板２４１の側方、つまり、投影装置１０筐体の略中央部分に光源部６０を備えている。さらに、投影装置１０には、光源部６０と左側パネル１５との間に、光源側光学系１７０や投影レンズ２２０が配置されている。
【００２８】
光源部６０は、青色波長帯域光の光源であって励起光源である励起光照射装置７０と、赤色波長帯域光の光源である赤色光源装置１２０と、緑色波長帯域光の光源である緑色光源装置８０と、を備える。緑色光源装置８０は、励起光照射装置７０と蛍光板装置１００により構成される。また、光源部６０には、青色波長帯域光、緑色波長帯域光、赤色波長帯域光を導光する導光光学系１４０が配置されている。導光光学系１４０は、励起光照射装置７０、緑色光源装置８０、及び赤色光源装置１２０から出射される各色波長帯域光を、ライトトンネル１７５の入射口に集光する。
【００２９】
励起光照射装置７０は、投影装置１０筐体の左右方向における略中央部分であって背面パネル１３近傍に配置される。また、励起光照射装置７０は、第１の光源である青色レーザダイオード７１から成る光源群、反射ミラー群７５、集光レンズ７８、ヒートシンク８１等を備える。光源群は、背面パネル１３と光軸が平行になるよう配置された複数の半導体発光素子である青色レーザダイオード７１から成る。反射ミラー群７５は、各青色レーザダイオード７１からの出射光の光軸を正面パネル１２方向に９０度変換する。集光レンズ７８は、反射ミラー群７５で反射した各青色レーザダイオード７１からの出射光を集光する。また、ヒートシンク８１は、青色レーザダイオード７１と右側パネル１４との間に配置される。
【００３０】
光源群は、複数の半導体発光素子である青色レーザダイオード７１がマトリクス状に配列されて成る。また、各青色レーザダイオード７１の光軸上には、青色レーザダイオード７１からの出射光の指向性を高めるように平行光に変換するコリメータレンズ７３が各々配置されている。また、反射ミラー群７５は、複数の反射ミラーが階段状に配列されてミラー基板７６と一体化されて位置調整を行って形成され、青色レーザダイオード７１から出射される光線束の断面積を一方向に縮小して集光レンズ７８に出射する。
【００３１】
ヒートシンク８１と背面パネル１３との間には冷却ファン２６１が配置される。この冷却ファン２６１とヒートシンク８１とによって青色レーザダイオード７１が冷却される。さらに、反射ミラー群７５と背面パネル１３との間にも冷却ファン２６１が配置される。この冷却ファン２６１によって反射ミラー群７５や集光レンズ７８が冷却される。
【００３２】
赤色光源装置１２０は、青色レーザダイオード７１と光軸が平行となるように配置された赤色光源１２１と、赤色光源１２１からの出射光を集光する集光レンズ群１２５とを備える。この赤色光源１２１は、赤色波長帯域の光を発する半導体発光素子である赤色発光ダイオードである。赤色光源装置１２０が出射する赤色波長帯域光の光軸は、励起光照射装置７０から出射されて反射ミラー群７５により反射された青色波長帯域光の光軸と、蛍光板１０１から出射される緑色波長帯域光の光軸と交差する。また、赤色光源装置１２０は、赤色光源１２１の右側パネル１４側に配置されるヒートシンク１３０を備える。ヒートシンク１３０と正面パネル１２との間には冷却ファン２６１が配置されており、この冷却ファン２６１及びヒートシンク１３０によって赤色光源１２１が冷却される。
【００３３】
緑色光源装置８０を構成する蛍光板装置１００は、励起光照射装置７０から出射される励起光の光路上であって、正面パネル１２の近傍に配置される。蛍光板装置１００は、蛍光板１０１、モータ１１０、集光レンズ群１１１、集光レンズ１１５を備える。蛍光板１０１は、正面パネル１２と平行となるように、つまり、励起光照射装置７０からの出射光の光軸と直交するように配置された蛍光ホイールである。モータ１１０は、この蛍光板１０１を回転駆動させる。集光レンズ群１１１は、励起光照射装置７０から出射される励起光の光線束を蛍光板１０１に集光するとともに蛍光板１０１から背面パネル１３方向に出射される光線束を集光する。集光レンズ１１５は、蛍光板１０１から正面パネル１２方向に出射される光線束を集光する。なお、モータ１１０と正面パネル１２との間には冷却ファン２６１が配置されており、この冷却ファン２６１によって蛍光板装置１００等が冷却される。
【００３４】
蛍光板１０１には、蛍光発光領域と透過領域とが周方向に連続して並設されている。蛍光発光領域は、励起光照射装置７０から集光レンズ群１１１を介して照射される出射光を励起光として受けて、緑色波長帯域光の蛍光光を出射する。透過領域は、励起光照射装置７０からの出射光である励起光を透過又は拡散透過する。
【００３５】
蛍光板１０１の基材は、銅やアルミニウム等から成る金属基材である。この基材の励起光照射装置７０側の表面には環状の溝が形成され、その溝の底部は銀蒸着等によってミラー加工されている。また、ミラー加工された表面には、緑色蛍光体層が敷設されている。透過領域が励起光を透過する領域である場合には、基材の切抜き透孔部に透過性を有する透明基材が嵌入される。透過領域が励起光を拡散透過する領域である場合には、基材の切抜き透孔部に表面をサンドブラスト等で微細凹凸を形成した透明基材が嵌入される。
【００３６】
蛍光板１０１は、励起光照射装置７０から出射された青色波長帯域光が蛍光板１０１の緑色蛍光体層に照射されると、緑色蛍光体層における緑色蛍光体が励起されることにより、全方位に緑色波長帯域光を蛍光光として出射する。緑色波長帯域光は、背面パネル１３側へ出射され、集光レンズ群１１１に入射する。一方、透過領域に入射した励起光照射装置７０から出射された青色波長帯域光は、蛍光板１０１を透過又は拡散透過し、蛍光板１０１の背面側（換言すれば、正面パネル１２側）に配置された集光レンズ１１５に入射する。
【００３７】
導光光学系１４０は、赤色波長帯域、緑色波長帯域、及び青色波長帯域の光線束を集光させる集光レンズや、各色波長帯域の光線束の光軸を変換して同一の光軸とさせる反射ミラー、ダイクロイックミラー等からなる。具体的に、導光光学系１４０は、第一ダイクロイックミラー１４１、第一反射ミラー１４３、第二反射ミラー１４５、第二ダイクロイックミラー１４８、複数の集光レンズ１４６，１４７，１４９を備える。
【００３８】
第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。第一ダイクロイックミラー１４１は、青色及び赤色波長帯域光を透過し、緑色波長帯域光を反射する。蛍光板１０１から出射された緑色波長帯域光の光軸は、左側パネル１５方向に９０度変換される。
【００３９】
また、第一反射ミラー１４３は、蛍光板１０１を透過又は拡散透過した青色波長帯域光の光軸上、つまり、集光レンズ１１５と正面パネル１２との間に配置される。第一反射ミラー１４３は、青色波長帯域光を反射して光軸を左側パネル１５方向に９０度変換する。集光レンズ１４６は、第一反射ミラー１４３の左側パネル１５側に配置される。第二反射ミラー１４５は、集光レンズ１４６の左側パネル１５側に配置される。第二反射ミラー１４５は、集光レンズ１４６で集光された青色波長帯域光の光軸を、背面パネル１３側に９０度変換する。集光レンズ１４７は、第二反射ミラー１４５の背面パネル１３側に配置される。
【００４０】
集光レンズ１４９は、第一ダイクロイックミラー１４１の左側パネル１５側に配置される。第一ダイクロイックミラー１４１を透過した赤色波長帯域光の光軸は、集光レンズ１４９に入射する。第一ダイクロイックミラー１４１により反射された緑色波長帯域光の光軸は、赤色波長帯域光の光軸と略一致して集光レンズ１４９に入射する。
【００４１】
第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射して、青色波長帯域光を透過する。よって、集光レンズ１４９で集光された赤色波長帯域光及び緑色波長帯域光は、第二ダイクロイックミラー１４８により反射され、光源側光学系１７０の集光レンズ１７３に入射する。一方、集光レンズ１４７を透過した青色波長帯域光は、第二ダイクロイックミラー１４８を透過して、集光レンズ１７３を介してライトトンネル１７５の入射口に集光される。
【００４２】
光源側光学系１７０は、集光レンズ１７３、ライトトンネル１７５、集光レンズ１７８、光軸変換ミラー１８１、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を投影レンズ２２０に向けて出射するので、投影レンズ２２０の一部ともされている。
【００４３】
ライトトンネル１７５の近傍に配置される集光レンズ１７３は、光源光をライトトンネル１７５の入射口に集光する。赤色波長帯域光、緑色波長帯域光及び青色波長帯域光は、集光レンズ１７３により集光され、ライトトンネル１７５に入射する。ライトトンネル１７５に入射した光線束は、ライトトンネル１７５により均一な強度分布の光線束となる。
【００４４】
ライトトンネル１７５の背面パネル１３側の光軸上には、集光レンズ１７８及び光軸変換ミラー１８１が配置される。ライトトンネル１７５の出射口から出射した光線束の光軸は、集光レンズ１７８で集光された後、光軸変換ミラー１８１により、左側パネル１５側に光軸を変換される。
【００４５】
光軸変換ミラー１８１で反射した光線束は、集光レンズ１８３により集光された後、照射ミラー１８５により、コンデンサレンズ１９５を介して表示素子５１に所定の角度で照射される。なお、表示素子５１は、背面パネル１３側にヒートシンク１９０が設けられ、このヒートシンク１９０により表示素子５１は冷却される。また、照射ミラー１８５及び表示素子５１等は、ケース５０に収容される。ケース５０の隣接位置には、表示素子５１からの捨て光が導光される放熱部９０が設けられる。ケース５０内の構成や放熱部９０については、後に図５を用いて詳述する。
【００４６】
表示素子５１の画像形成面に照射された光源光である光線束は、表示素子５１の画像形成面で反射され、投影光として投影レンズ２２０を介してスクリーンに投影される。ここで、投影レンズ２２０は、コンデンサレンズ１９５、可動レンズ群２３５、固定レンズ群２２５を備える。可動レンズ群２３５は、レンズモータにより移動可能に形成される。そして、可動レンズ群２３５及び固定レンズ群２２５は、固定鏡筒に内蔵される。よって、可動レンズ群２３５を備える固定鏡筒は、可変焦点型レンズとされ、ズーム調節やフォーカス調節が可能に形成される。
【００４７】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介して光源側光学系１７０に順次入射し、その後表示素子５１に入射する。投影装置１０は、表示素子５１であるＤＭＤがデータに応じて各色の光を時分割表示することにより、スクリーンにカラー画像を投影することができる。
【００４８】
図４は、表示素子５１の動作を示す図である。表示素子５１は、内部に複数のミラー５１１を有した光路切替素子である。表示素子５１は、入光面側にミラー５１１を覆うカバーガラス５１２を有する。ミラー５１１は、行及び列を成して形成され、投影画像のサイズ規格に応じて画像を構成する画素数分又はその画素数分以上設けられる。ミラー５１１は、実線で示すオン状態５ａと、破線で示すオフ状態５ｂとを選択的に切り替えることができる。カバーガラス５１２は、光を透過しながらミラー５１１を保護する。本図では、図３に示したコンデンサレンズ１９５を省略している。
【００４９】
ここで、一つのミラー５１１に入射する入射光Ｌａを例に、光路切替動作について説明する。ミラー５１１がオン状態５ａのとき、図３の照射ミラー１８５で反射された入射光Ｌａは、ミラー５１１の反射面の法線ｎ１に対してθａ１の入射角度で入射し、θｂ１の反射角度で反射する。よって、ミラー５１１がオン状態５ａのとき、ミラー５１１で反射した出射光Ｌｂ１（オン光）は、投影レンズ２２０の可動レンズ群２３５及び固定レンズ群２２５を介して、投影装置１０の外部に出射される。
【００５０】
一方、ミラー５１１に入射する入射光Ｌａは、ミラー５１１がオフ状態５ｂのとき、ミラー５１１の反射面の法線ｎ２に対してθａ２の入射角度で入射し、θｂ２の反射角度で反射する。ミラー５１１がオフ状態５ｂのとき、ミラー５１１で反射した光は、画像形成に利用されない不要な捨て光Ｌｂ２（オフ光）として、図５に示す後述の放熱部９０に導光される。
【００５１】
各ミラー５１１は、投影装置１０の外部に出射される光の投影時間を制御している。ミラー５１１のオン状態５ａ及びオフ状態５ｂの切り換え制御は、ミラー５１１毎に行われる。つまり、投影装置１０が投影する画像の画素ごとに、光の投影時間が制御される。
【００５２】
図５は、投影装置１０の表示素子５１、放熱部９０及び投影レンズ２２０の構成を示す図である。本図は、図３に破線で示したＡ部周辺の模式図である。照射ミラー１８５、コンデンサレンズ１９５、及び表示素子５１は、光源部６０からの出射光の光路が形成されるケース５０内に収容される。
【００５３】
ケース５０は、外部に、表示素子５１を冷却するためのヒートシンク１９０を備える。ヒートシンク１９０は、熱伝達部１９１とフィン１９２を有する。熱伝達部１９１は、表示素子５１が発する熱をヒートシンク１９０に伝達する。伝達された熱は、主にフィン１９２によって放熱される。
【００５４】
放熱部９０は、ケース５０に隣接して設けられる。放熱部９０は、箱状に形成され、周囲が密閉された空間Ｓ１を有する。放熱部９０の壁部９０ａは、熱伝導性を有する部材、例えば、アルミニウム、銅又はこれらを含む合金等の金属により形成される。
【００５５】
放熱部９０は、透過部材９１、ヒートシンク９２、反射部９３、吸光部９４を有する。吸光部９４は、金属等の基材表面を黒色化する表面処理技術によって黒化処理されたものである。黒色化の方法としては、具体的には、金属表面の酸化皮膜の成長を電気的に起させその皮膜の厚さによって黒色に表現させ電解発色させた黒色酸化皮膜、化成処理、陽極酸化（アノード酸化）、黒色無電解めっき、黒体塗装等によって形成できる。従って、金属表面が黒色のため、３８０ｎｍ〜７５０ｎｍの可視光領域の光の殆どを吸収し、反射させない光反射防止効果を得ることができる。また、集熱性、耐熱性及び耐光性に優れた効果を得ることができる。透過部材９１は、放熱部９０の表示素子５１側の壁部９０ａに設けられる。透過部材９１は、ガラス、プラスチック等の透過性のある材料で形成される。
【００５６】
ヒートシンク９２は、本体部９２ａと、本体部９２ａに形成された複数のフィン９２１とを有する。放熱部９０の内部の空間Ｓ１は、壁部９０ａ、透過部材９１及び本体部９２ａにより形成することができる。このような構成により、放熱部９０の内部の空間Ｓ１は、表示素子５１等が配置されるケース５０内の空間Ｓ２と隔離される。本実施形態のヒートシンク９２は、本体部９２ａと透過部材９１とが、放熱部９０内の対向する位置に設けられる。
【００５７】
反射部９３は、本体部９２ａの空間Ｓ１側である裏面に形成される。反射部９３は、表示素子５１により導光された捨て光Ｌｂ２を反射して、吸光部９４が形成される壁部９０ａに導光する。
【００５８】
吸光部９４は、壁部９０ａの空間Ｓ１側の内面に形成される。吸光部９４は、塗膜を内壁に形成したり、別体の光吸収部材を内壁に設けることより形成される。吸光部９４は、可視光帯域の光を吸収する。吸光部９４は、照射された捨て光Ｌｂ２を熱に変換し、その熱を放熱部９０の壁部９０ａに伝達する。なお、吸光部９４は、放熱部９０内部において、一部に設けてもよいし、全面に設けてもよい。
【００５９】
次に、投影装置１０のミラー５１１の動作例について説明する。図６（ａ）は、ミラー５１１が白色光を出射する場合の、光源部６０及びミラー５１１の動作を示すタイミングチャート図である。また、図６（ｂ）は、ミラー５１１が赤色波長帯域光を出射する場合の、光源部６０及びミラー５１１の動作を示すタイミングチャート図である。
【００６０】
投影装置１０は、タイミングＴ１からタイミングＴ７を一つのフレーム単位周期Ｐ４としている。図６（ａ）及び図６（ｂ）では、光源部６０からの入射光Ｌａ（図５参照）である赤色波長帯域光６０ｒ、緑色波長帯域光６０ｇ及び青色波長帯域光６０ｂの出射タイミング、ミラー５１１の動作タイミング、ミラー５１１から出射される出射光Ｌｂ１の出射タイミングを示している。投影装置１０は、フレーム単位周期Ｐ４毎に、光源部６０から出射される各色の光によって、画素毎に任意の色の光を形成する。
【００６１】
図６（ａ）の動作について説明する。タイミングＴ１からタイミングＴ３の赤色セグメント期間Ｐ１において、光源部６０は、赤色波長帯域光６０ｒを出射する。タイミングＴ２からタイミングＴ３では、次の緑色セグメント期間Ｐ２出射される緑色波長帯域光６０ｇとの混色を避けるため、赤色波長帯域光６０ｒは出射されない。本図に示す動作期間の範囲内において、ミラー５１１は常時オン状態５ａ（図４も参照）である。よって、赤色波長帯域光６０ｒが出射されているタイミングＴ１からタイミングＴ２の期間では、投影レンズ２２０に導光される出射光Ｌｂ１として、赤色波長帯域光６１ｒが出射される。
【００６２】
タイミングＴ３からタイミングＴ５の緑色セグメント期間Ｐ２において、光源部６０は、緑色波長帯域光６０ｇを出射する。タイミングＴ４からタイミングＴ５では、次の青色セグメント期間Ｐ３に出射される青色波長帯域光６０ｂとの混色を避けるため、緑色波長帯域光６０ｇは出射されない。よって、緑色波長帯域光６０ｇが出射されているタイミングＴ３からタイミングＴ４の期間では、投影レンズ２２０に導光される出射光Ｌｂ１として、緑色波長帯域光６１ｇが出射される。
【００６３】
タイミングＴ５からタイミングＴ７の青色セグメント期間Ｐ３において、光源部６０は、青色波長帯域光６０ｂを出射する。タイミングＴ６からタイミングＴ７では、次のフレーム単位周期Ｐ４の赤色セグメント期間Ｐ１に出射される赤色波長帯域光６０ｒとの混色を避けるため、青色波長帯域光６０ｂは出射されない。よって、青色波長帯域光６０ｂが出射されているタイミングＴ５からタイミングＴ６の期間では、投影レンズ２２０に導光される出射光Ｌｂ１として、青色波長帯域光６１ｂが出射される。
【００６４】
フレーム単位周期Ｐ４内において、赤色波長帯域光６１ｒ、緑色波長帯域光６１ｇ及び青色波長帯域光６１ｂの出射時間は、ミラー５１１のオン状態５ａ及びオフ状態５ｂの時間によって制御される。そのため、表示素子５１は、画素ごとに任意の色の光を投影装置１０の外部に出射し、全体としてカラーの画像を投影させることができる。図６（ａ）の場合、フレーム単位周期Ｐ４に出射される出射光Ｌｂ１は、赤色波長帯域光６１ｒ、緑色波長帯域光６１ｇ及び青色波長帯域光６１ｂによって、白色となる。
【００６５】
一方、図６（ｂ）に示す動作では、光源部６０は、図６（ａ）と同様、タイミングＴ１からタイミングＴ２に赤色波長帯域光６０ｒを出射し、タイミングＴ３からタイミングＴ４に緑色波長帯域光６０ｇを出射し、タイミングＴ５からタイミングＴ６に青色波長帯域光６０ｂを出射する。
【００６６】
本図に示す動作期間の範囲内において、ミラー５１１は赤色セグメント期間Ｐ１にオン状態５ａである。その他の緑色セグメント期間Ｐ２及び青色セグメント期間Ｐ３では、ミラー５１１はオフ状態５ｂである。
【００６７】
よって、赤色波長帯域光６０ｒが出射されているタイミングＴ１からタイミングＴ２の期間では、投影レンズ２２０に導光される出射光Ｌｂ１として、赤色波長帯域光６０ｒが出射される。一方、タイミングＴ３からタイミングＴ４の期間、及び、タイミングＴ５からタイミングＴ６の期間では、光源部６０から出射された緑色波長帯域光６０ｇ及び青色波長帯域光６０ｂは、捨て光Ｌｂ２（図４及び図５参照）として放熱部９０側へ導光される。よって、図６（ｂ）の場合、フレーム単位周期Ｐ４に出射される出射光Ｌｂ１は、赤色となる。
【００６８】
図５で、空間Ｓ１内に導光された捨て光Ｌｂ２（図６（ｂ）の例では緑色波長帯域光６０ｇ及び青色波長帯域光６０ｂ）は、反射部９３で反射され、放熱部９０内の吸光部９４に導光される。吸光部９４は、捨て光Ｌｂ２を吸収して熱に変換する。吸光部９４で変換された熱は、壁部９０ａに伝達される。ヒートシンク９２は、壁部９０ａの熱を主にフィン９２１により放熱させる。
【００６９】
なお、図５では、表示素子５１の全てのミラー５１１が同時にオン状態５ａ又はオフ状態５ｂとした様子を示しているが、実際には、画素ごとの各ミラー５１１が異なる時間やタイミングで、オン状態５ａ又はオフ状態５ｂを切り替えることができる。また、フレーム単位周期Ｐ４は時分割で連続的に配置されており、投影装置１０はフレーム単位周期Ｐ４ごとに異なる色の光を出射させることができる。
【００７０】
以上、実施形態１では、ケース５０に接続された放熱部９０によって捨て光Ｌｂ２により発生する熱を効率良く放熱させることができるため、表示素子５１等のケース５０に設けられた部材の温度上昇を低減させることができる。
【００７１】
（実施形態２）
つぎに、実施形態２について説明する。図７は、投影装置１０の表示素子５１、放熱部９０Ａ及び投影レンズ２２０の構成を示す図である。本実施形態のケース５０は、更に集光レンズ９５を備える。なお、本実施形態の説明において、実施形態１と同様の構成については、同一の符号を付し、その説明を省略又は簡略化する。
【００７２】
集光レンズ９５は、表示素子５１と放熱部９０Ａとの間に配置される。集光レンズ９５は、放熱部９０Ａ側を凸とした凸レンズである。集光レンズ９５は、表示素子５１から出射された捨て光Ｌｂ２を集光して、放熱部９０Ａ側へ導光する。
【００７３】
放熱部９０Ａの壁部９０ａは、集光レンズ９５側の一部の端部が反射部９３の反射面９３ａと接続されるように形成される。これにより、放熱部９０Ａ内の空間Ｓ１が閉じられる。透過部材９１Ａは、反射面９３ａと、反射面９３ａ上で接続される壁部９０ａと、の境界部分に形成される。集光レンズ９５により集光された捨て光Ｌｂ２は、透過部材９１Ａ内に入射した後、反射部９３で反射し、空間Ｓ１内へ集光される。
【００７４】
以上、本実施形態の放熱部９０Ａを備える投影装置１０では、捨て光Ｌｂ２の光路上に、集光レンズ９５を設ける構成とした。そのため、放熱部９０Ａ内に入光させる捨て光Ｌｂ２を集光させて、透過部材９１Ａの透過面積を、実施形態１の透過部材９１よりも小さくすることができる。よって、放熱部９０Ａ内に入光した捨て光Ｌｂ２の一部が、放熱部９０Ａ内で反射し、再度ケース５０の空間Ｓ２側へ戻ることを低減させることができる。
【００７５】
実施形態１及び実施形態２で説明した放熱部９０，９０Ａを備えた投影装置１０は、ユーザの使用態様や投影画像の色によってケース５０の温度上昇を低減し、表示素子５１への影響を低減させることができる、よって、表示素子５１の寿命を長くしたり、品質を安定させることができる。また、捨て光Ｌｂ２によるケース５０の温度上昇を低減させることができるため、表示素子５１の冷却用に用いていたヒートシンク１９０のサイズを小型化させることができる。これにより、投影装置１０を軽量化させ、レイアウトやデザインの自由度を向上させることができる。
【００７６】
なお、放熱部９０，９０Ａの内部の空間Ｓ１が密閉空間である例について説明したが、空間Ｓ１内がケース５０内の空間Ｓ２と隔離されていれば、空間Ｓ１は開口部や通気路を設ける構成としてもよい。よって、放熱部９０，９０Ａは、空間Ｓ１内に、投影装置１０内の冷却風を流通させたり、外部の空気を流通させることができる。
【００７７】
また、図５及び図７において空間Ｓ１には空気層が形成されるため、発熱した壁部９０ａと光源ケース５０側との間の断熱効果を得ることができる。しかし、図５のケース５０と放熱部９０との間の境界部に、断熱部材を設けても良い。また、図７のケース５０と、ヒートシンク９２との間の境界部に、断熱部材を設けても良い。これにより、放熱部９０，９０Ａで発生した熱が、ケース５０に伝達されることを防ぐことができる。よって、放熱部９０，９０Ａの熱は、主にヒートシンク９２によって効率良く放熱させることができる。
【００７８】
また、実施形態１及び実施形態２の放熱部９０，９０Ａは、反射部９３を設けない構成としても良い。図５及び図７に示した捨て光Ｌｂ２が照射される反射部９３の位置には、
反射部９３の代わりに、黒化処理された金属等の吸光部９４を設けることができる。また、吸光部９４は、壁部９０ａ内の内壁の全面又は一部に設ける構成とすることができる。
【００７９】
また、放熱部９０，９０Ａはケース５０に隣接しない構成とすることができる。例えば、ケース５０と放熱部９０，９０Ａは、各々離間した位置に配置することができる。ケース５０と放熱部９０，９０Ａとは、各々別の部材に対して取り付けても良いし、放熱部９０，９０Ａをケース５０に対して固定する際に、杆状、柱状或いは板状の接続部材により固定させることができる。この場合は、ケース５０及び放熱部９０，９０Ａが各々透過部材を有しており、表示素子５１により反射された捨て光Ｌｂ２は、ケース５０及び放熱部９０，９０Ａの各透過部材を介して放熱部９０，９０Ａ内に導光する構成とすることができる。よって、捨て光Ｌｂ２により発生する熱がケース５０内に配置された部材に伝達されることを防ぐことができる。また、放熱部９０を投影装置１０内の自由な位置に配置させることができる。
【００８０】
また、投影レンズ２２０は、光路切替素子である表示素子５１から画像光が出射される投影装置１０の開口部側の光路であればよく、図３に示した固定レンズ群２２５や可動レンズ群２３５の他、ミラーやフィルタ等の他の光学部材を備えても良い。また、光路切替素子は、ＤＭＤ以外にも他の空間的光変調素子を用いても良い。
【００８１】
以上、本実施形態の投影装置１０は、光路切替素子（表示素子５１）が、放熱部９０，９０Ａ内の空間Ｓ１と隔離されたケース５０内部に設けられ、光源部６０が出射した光を、投影レンズ２２０又は放熱部９０，９０Ａのいずれに導光するか切り替える構成とした。そのため、捨て光Ｌｂ２の照射により、光路切替素子が配置されるケース５０と異なる部材に熱を生じさせるため、光路切替素子に捨て光Ｌｂ２による発熱の影響を低減させることができる。また、放熱部９０，９０Ａ内の空間Ｓ１とケース５０内の空間Ｓ２とを隔離したため、ケース５０の防塵性を確保することができる。また、光路切替素子用のヒートシンクが設けられていた場合であっても、このヒートシンクを小型化することができる。よって、放熱性を向上させた投影装置１０を構成することができる。
【００８２】
また、放熱部９０，９０Ａは、その光路切替素子から出射された光を透過させる透過部材９１，９１Ａを備える。そのため、放熱部９０，９０Ａ内の空間Ｓ１と、光路切替素子が配置されるケース５０内の空間Ｓ２とを隔離させつつ、捨て光Ｌｂ２を導光させることができる。
【００８３】
また、放熱部９０，９０Ａは、密閉空間である。そのため、放熱部９０，９０Ａ内に生じた熱を他の部材に流出させることを防ぐことができる。
【００８４】
また、放熱部９０，９０Ａは、内部に吸光部９４を有する。そのため、光路切替素子から導光された捨て光Ｌｂ２を効率良く熱に変換することができる。また、一度放熱部９０，９０Ａ内に入射した捨て光が再度透過部材９１，９１Ａを介して光路切替素子が配置される空間Ｓ２内に漏れることを低減させることができる。
【００８５】
また、放熱部９０，９０Ａは、ヒートシンク９２を備える。そのため、捨て光Ｌｂ２により発生した放熱部９０，９０Ａの熱を効率よく放熱させることができる。
【００８６】
また、ケース５０内の光路切替素子と放熱部９０Ａとの間に集光レンズ９５を備える。そのため、捨て光Ｌｂ２を集光させることができるため、放熱部９０Ａに設けられた透過部材９１Ａの透過面積を、集光レンズ９５を設けない場合に比べ小さくすることができる。
【００８７】
また、放熱部９０，９０Ａは、ケース５０と断熱部材を介して接続される。そのため、光路切替素子が配置されるケース５０に、捨て光Ｌｂ２により発生した放熱部９０，９０Ａの熱が伝達されることを低減させることができる。
【００８８】
また、光路切替素子は、画像光を形成する表示素子５１であり、投影レンズ２２０は、表示素子５１が形成した投影光を外部に投影する。そのため、放熱性を向上させた投影装置１０を構成することができる。本発明の光源装置は、投影装置に備えられているものに限らない。例えば、ランプや他の照明装置であっても良い。
【００８９】
また、以上説明した各実施形態は、例として提示したものであり、発明の範囲を限定することは意図していない。これらの新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００９０】
以下に、本願出願の最初の特許請求の範囲に記載された発明を付記する。
［１］  光源部と、
前記光源部からの光を、複数の方向に選択的に切り替える光路切替素子と、
前記複数の方向の１つに位置し、透過部材を介して前記光路切替素子と隔離された放熱部と、
を備えることを特徴とする光源装置。
［２］  前記光路切替素子は、前記放熱部内の空間と隔離されたケース内に設けられており、
前記透過部材は、前記光路切替素子から出射された光を透過させることを特徴とする上記［１］に記載する光源装置。
［３］  前記放熱部は、前記ケースと断熱部材を介して接続されることを特徴とする上記［２］に記載の光源装置。
［４］  前記放熱部は、ヒートシンクを備えることを特徴とする上記［１］乃至上記［３］の何れかに記載の光源装置。
［５］  前記放熱部は、周囲が、壁部、前記透過部材及び前記ヒートシンクによって囲まれた密閉空間となっていることを特徴とする上記［４］に記載の光源装置。
［６］  前記ヒートシンクの前記密閉空間側には、前記光路切替素子から導光された光を吸収する吸光部が設けられていることを特徴とする上記［５］に記載の光源装置。
［７］  前記ヒートシンクの前記密閉空間側には、前記光路切替素子から導光された光を反射する反射部が設けられていることを特徴とする上記［５］に記載の光源装置。
［８］  前記壁部の前記密閉空間側には吸光部が設けられており、
前記光路切替素子から導光された光は前記反射部で反射されて、前記壁部に形成された前記吸光部に導光されることを特徴とする上記［７］に記載の光源装置。
［９］  前記光路切替素子と前記放熱部との間に集光レンズを備えることを特徴とする上記［１］乃至上記［８］の何れかに記載の光源装置。
［１０］  前記光路切替素子は、複数のミラーを備えることを特徴とする上記［１］乃至上記［９］の何れかに記載の光源装置。
［１１］  光源部と、
前記光源部からの光を複数の方向に選択的に切り替え、光像を形成する表示素子と、
前記表示素子からの光像を投影する投影レンズと、
透過部材を介して前記表示素子と隔離され、前記表示素子からの光が、前記投影レンズとは異なる方向へ照射されることで光が入射される放熱部と、
を備えることを特徴とする投影装置。
［１２］  前記表示素子は、前記放熱部内の空間と隔離されたケース内に設けられており、
前記透過部材は、前記表示素子から出射された光を透過させることを特徴とする上記［１１］に記載する投影装置。
［１３］  前記放熱部は、前記ケースと断熱部材を介して接続されることを特徴とする上記［１２］に記載の投影装置。
［１４］  前記放熱部は、ヒートシンクを備えることを特徴とする上記［１１］乃至上記［１３］の何れかに記載の投影装置。
［１５］  前記放熱部は、周囲が、壁部、前記透過部材及び前記ヒートシンクによって囲まれた密閉空間となっていることを特徴とする上記［１４］に記載の投影装置。
［１６］  前記ヒートシンクの前記密閉空間側には、前記表示素子から導光された光を吸収する吸光部が設けられていることを特徴とする上記［１５］に記載の投影装置。
［１７］  前記ヒートシンクの前記密閉空間側には、前記表示素子から導光された光を反射する反射部が設けられていることを特徴とする上記［１５］に記載の投影装置。
［１８］  前記壁部の前記密閉空間側には吸光部が設けられており、
前記表示素子から導光された光は前記反射部で反射されて、前記壁部に形成された前記吸光部に導光されることを特徴とする上記［１７］に記載の投影装置。
［１９］  前記表示素子と前記放熱部との間に集光レンズを備えることを特徴とする上記［１１］乃至上記［１８］の何れかに記載の投影装置。
［２０］  前記表示素子は、複数のミラーを備え、
前記投影レンズは、前記表示素子によって変調された前記光像を形成するオン光を投影して、被投影体に画像を投影する、
ことを特徴とする上記［１１］乃至上記［１９］の何れかに記載の投影装置。
【符号の説明】
【００９１】
５ａ    オン状態                            ５ｂ    オフ状態
１０    投影装置                            １１    上面パネル
１２    正面パネル                          １３    背面パネル
１４    右側パネル                          １５    左側パネル
１７    排気孔                              １８    吸気孔
１９    レンズカバー                        ２０    端子（群）
２１    入出力コネクタ部                    ２２    入出力インターフェース
２３    画像変換部                          ２４    表示エンコーダ
２５    ビデオＲＡＭ                        ２６    表示駆動部
３１    画像圧縮／伸長部                    ３２    メモリカード
３５    Ｉｒ受信部                          ３６    Ｉｒ処理部
３７    キー／インジケータ部                ３８    制御部
４１    光源制御回路                        ４３    冷却ファン駆動制御回路
４５    レンズモータ                        ４７    音声処理部
４８    スピーカ                            ５０    ケース
５１    表示素子                            ５２    出射光
６０    光源部                              ６０ｂ  青色波長帯域光
６０ｇ  緑色波長帯域光                      ６０ｒ  赤色波長帯域光
６１ｂ  青色波長帯域光                      ６１ｇ  緑色波長帯域光
６１ｒ  赤色波長帯域光
７０    励起光照射装置                      ７１    青色レーザダイオード
７３    コリメータレンズ                    ７５    反射ミラー群
７６    ミラー基板                          ７８    集光レンズ
８０    緑色光源装置                        ８１    ヒートシンク
９０    放熱部                              ９０Ａ  放熱部
９０ａ  壁部                                ９１    透過部材
９１Ａ  透過部材                            ９２    ヒートシンク
９２ａ  本体部                              ９３    反射部
９３ａ  反射面                              ９４    吸光部
９５    集光レンズ                          １００  蛍光板装置
１０１  蛍光板                              １１０  モータ
１１１  集光レンズ群                        １１５  集光レンズ
１２０  赤色光源装置                        １２１  赤色光源
１２５  集光レンズ群                        １３０  ヒートシンク
１４０  導光光学系                          １４１  第一ダイクロイックミラー
１４３  第一反射ミラー                      １４５  第二反射ミラー
１４６  集光レンズ                          １４７  集光レンズ
１４８  第二ダイクロイックミラー            １４９  集光レンズ
１７０  光源側光学系                        １７３  集光レンズ
１７５  ライトトンネル                      １７８  集光レンズ
１８１  光軸変換ミラー                      １８３  集光レンズ
１８５  照射ミラー                          １９０  ヒートシンク
１９１  熱伝達部                            １９２  フィン
１９５  コンデンサレンズ                    ２２０  投影レンズ
２２５  固定レンズ群                        ２３５  可動レンズ群
２４１  制御回路基板                        ２６１  冷却ファン
５１１  ミラー                              ５１２  カバーガラス
９２１  フィン
Ｌａ    入射光                              Ｌｂ１  出射光
Ｌｂ２  捨て光
Ｐ１    赤色セグメント期間                  Ｐ２    緑色セグメント期間
Ｐ３    青色セグメント期間                  Ｐ４    フレーム単位周期
Ｓ１    空間                                Ｓ２    空間
Ｔ１〜Ｔ７    タイミング                    ｎ１    法線
ｎ２    法線
【図１】
2018156874.tif 000003
【図２】
2018156874.tif 000004
【図３】
2018156874.tif 000005
【図４】
2018156874.tif 000006
【図５】
2018156874.tif 000007
【図６】
2018156874.tif 000008
【図７】
2018156874.tif 000009